(57)【特許請求の範囲】
【請求項１】
サービス提供者側の代行依頼装置が、イベント通知メッセージを識別するものであって宛先を特定できない一意の符号又は記号を用いたメッセージIDをサービス利用者側のメッセージ受信装置に提供するステップと、
メッセージ代行通知を行う装置が、前記メッセージ受信装置より前記メッセージID及び前記メッセージ受信装置の連絡先情報の組を受信して保持するステップと、
前記メッセージ代行通知を行う装置が、前記代行依頼装置から、イベントが発生したことに伴って前記メッセージIDを受信したとき、前記メッセージIDと組になっている前記連絡先情報のメッセージ受信装置に対して、前記メッセージIDに対応したイベント通知メッセージを送信するステップと、
を備え、前記送信ステップは、前記メッセージ代行通知を行う装置が、予め記憶した複数のメッセージIDとメッセージIDの各々に対応した同一又は固有のイベント通知メッセージの組に基づいてイベントの発生に伴って受信した前記メッセージIDに対応するイベント通知メッセージを送信対象のイベント通知メッセージとして選択するステップをさらに含むことを特徴とするメッセージ代行通知方法。
【請求項２】
メッセージ代行通知を行う装置が、イベント通知メッセージを識別するものであって宛先を特定できない一意の符号又は記号を用いたメッセージIDをサービス利用者側のメッセージ受信装置に提供するステップと、
前記メッセージ代行通知を行う装置が、前記メッセージ受信装置より前記メッセージID及び前記メッセージ受信装置の連絡先情報の組を受信して保持するステップと、
前記サービス利用者によるバーコード提供で前記メッセージIDを取得したサービス提供者である代行依頼装置から、イベントが発生したことに伴って前記メッセージIDを受信した前記メッセージ代行通知を行う装置が、前記メッセージIDと組になっている前記連絡先情報のメッセージ受信装置に対して、前記メッセージIDに対応したイベント通知メッセージを送信するステップと、
を備え、前記送信ステップは、前記メッセージ代行通知を行う装置が、予め記憶した複数のメッセージIDとメッセージIDの各々に対応した同一又は固有のイベント通知メッセージの組に基づいてイベントの発生に伴って受信した前記メッセージIDに対応するイベント通知メッセージを送信対象のイベント通知メッセージとして選択するステップをさらに含むことを特徴とするメッセージ代行通知方法。
【請求項３】
メッセージ代行通知を行う装置が、イベント通知メッセージを識別するものであって宛先を特定できない一意の符号又は記号を用いたメッセージIDをサービス利用者側のメッセージ受信装置に提供するステップと、
前記メッセージ代行通知を行う装置が、前記メッセージ受信装置より前記メッセージID及び前記メッセージ受信装置の連絡先情報の組を受信して保持するステップと、
前記サービス利用者の人体又は物に貼付されている前記メッセージIDを読み取ったサービス提供者である代行依頼装置から前記メッセージIDを受信した前記メッセージ代行通知を行う装置が、前記メッセージIDと組になっている前記連絡先情報のメッセージ受信装置に対して、前記メッセージIDに対応したイベント通知メッセージを送信するステップと、
を備え、前記送信ステップは、前記メッセージ代行通知を行う装置が、予め記憶した複数のメッセージIDとメッセージIDの各々に対応した同一又は固有のイベント通知メッセージの組に基づいてイベントの発生に伴って受信した前記メッセージIDに対応するイベント通知メッセージを送信対象のイベント通知メッセージとして選択するステップをさらに含むことを特徴とするメッセージ代行通知方法。
【請求項４】
サービス提供者側の代行依頼装置が、イベント通知メッセージを識別するものであって宛先を特定できない一意の符号又は記号を用いたメッセージIDをサービス利用者側のサービス利用者を介してメッセージ受信装置に提供するステップと、
メッセージ代行通知を行う装置が、前記メッセージ受信装置より前記メッセージID及び前記メッセージ受信装置の連絡先情報の組を受信して保持するステップと、
前記メッセージ代行通知を行う装置が、前記代行依頼装置から、イベントが発生したことに伴って前記メッセージIDを受信したとき、前記メッセージIDと組になっている前記連絡先情報のメッセージ受信装置に対して、前記メッセージIDに対応したイベント通知メッセージを送信するステップと、
を備え、前記送信ステップは、前記代行依頼装置が、予め記憶した複数のメッセージIDとメッセージIDの各々に対応した同一又は固有のイベント通知メッセージの組に基づいて前記メッセージIDと共に送信した前記メッセージIDに対応するイベント通知メッセージも併せて受信するステップをさらに含むことを特徴とするメッセージ代行通知方法。
【請求項５】
メッセージ代行通知を行う装置が、イベント通知メッセージを識別するものであって宛先を特定できない一意の符号又は記号を用いたメッセージIDをサービス利用者側のメッセージ受信装置に提供するステップと、
前記メッセージ代行通知を行う装置が、前記メッセージ受信装置より前記メッセージID及び前記メッセージ受信装置の連絡先情報の組を受信して保持するステップと、
前記サービス利用者によるバーコード提供で前記メッセージIDを取得したサービス提供者である代行依頼装置から、イベントが発生したことに伴って前記メッセージIDを受信した前記メッセージ代行通知を行う装置が、前記メッセージIDと組になっている前記連絡先情報のメッセージ受信装置に対して、前記メッセージIDに対応したイベント通知メッセージを送信するステップと、
を備え、前記送信ステップは、前記代行依頼装置が、予め記憶した複数のメッセージIDとメッセージIDの各々に対応した同一又は固有のイベント通知メッセージの組に基づいて前記メッセージIDと共に送信した前記メッセージIDに対応するイベント通知メッセージも併せて受信するステップをさらに含むことを特徴とするメッセージ代行通知方法。
【請求項６】
メッセージ代行通知を行う装置が、イベント通知メッセージを識別するものであって宛先を特定できない一意の符号又は記号を用いたメッセージIDをサービス利用者側のメッセージ受信装置に提供するステップと、
前記メッセージ代行通知を行う装置が、前記メッセージ受信装置より前記メッセージID及び前記メッセージ受信装置の連絡先情報の組を受信して保持するステップと、
前記サービス利用者の人体又は物に貼付されている前記メッセージIDを読み取ったサービス提供者である代行依頼装置から前記メッセージIDを受信した前記メッセージ代行通知を行う装置が、前記メッセージIDと組になっている前記連絡先情報のメッセージ受信装置に位置する前記サービス利用者に対して、前記メッセージIDに対応したイベント通知メッセージを送信するステップと、
を備え、前記送信ステップは、前記代行依頼装置が、予め記憶した複数のメッセージIDとメッセージIDの各々に対応した同一又は固有のイベント通知メッセージの組に基づいて前記メッセージIDと共に送信した前記メッセージIDに対応するイベント通知メッセージも併せて受信するステップをさらに含むことを特徴とするメッセージ代行通知方法。
【請求項７】
サービス提供者側の代行依頼装置が、イベント通知メッセージを識別するものであって宛先を特定できない一意の符号又は記号を用いたメッセージIDをサービス利用者側のメッセージ受信装置に提供する手段と、
メッセージ代行通知を行う装置が、前記メッセージ受信装置より前記メッセージID及び前記メッセージ受信装置の連絡先情報の組を受信して保持する手段と、
前記メッセージ代行通知を行う装置が、前記代行依頼装置から、イベントが発生したことに伴って前記メッセージIDを受信したとき、前記メッセージIDと組になっている前記連絡先情報のメッセージ受信装置に対して、前記メッセージIDに対応したイベント通知メッセージを送信する手段と、
を備え、前記送信手段は、前記メッセージ代行通知を行う装置が、予め記憶した複数のメッセージIDとメッセージIDの各々に対応した同一又は固有のイベント通知メッセージの組に基づいてイベントの発生に伴って受信した前記メッセージIDに対応するイベント通知メッセージを送信対象のイベント通知メッセージとして選択する手段をさらに含むことを特徴とするメッセージ代行通知装置。
【請求項８】
メッセージ代行通知を行う装置が、イベント通知メッセージを識別するものであって宛先を特定できない一意の符号又は記号を用いたメッセージIDをサービス利用者側のメッセージ受信装置に提供する手段と、
前記メッセージ代行通知を行う装置が、前記メッセージ受信装置より前記メッセージID及び前記メッセージ受信装置の連絡先情報の組を受信して保持する手段と、
前記サービス利用者によるバーコード提供で前記メッセージIDを取得したサービス提供者である代行依頼装置から、イベントが発生したことに伴って前記メッセージIDを受信した前記メッセージ代行通知を行う装置が、前記メッセージIDと組になっている前記連絡先情報のメッセージ受信装置に対して、前記メッセージIDに対応したイベント通知メッセージを送信する手段と、
を備え、前記送信手段は、前記メッセージ代行通知を行う装置が、予め記憶した複数のメッセージIDとメッセージIDの各々に対応した同一又は固有のイベント通知メッセージの組に基づいてイベントの発生に伴って受信した前記メッセージIDに対応するイベント通知メッセージを送信対象のイベント通知メッセージとして選択する手段をさらに含むことを特徴とするメッセージ代行通知装置。
【請求項９】
メッセージ代行通知を行う装置が、イベント通知メッセージを識別するものであって宛先を特定できない一意の符号又は記号を用いたメッセージIDをサービス利用者側のメッセージ受信装置に提供する手段と、
前記メッセージ代行通知を行う装置が、前記メッセージ受信装置より前記メッセージID及び前記メッセージ受信装置の連絡先情報の組を受信して保持する手段と、
前記サービス利用者の人体又は物に貼付されている前記メッセージIDを読み取ったサービス提供者である代行依頼装置から前記メッセージIDを受信した前記メッセージ代行通知を行う装置が、前記メッセージIDと組になっている前記連絡先情報のメッセージ受信装置に対して、前記メッセージIDに対応したイベント通知メッセージを送信する手段と、
を備え、前記送信手段は、前記メッセージ代行通知を行う装置が、予め記憶した複数のメッセージIDとメッセージIDの各々に対応した同一又は固有のイベント通知メッセージの組に基づいてイベントの発生に伴って受信した前記メッセージIDに対応するイベント通知メッセージを送信対象のイベント通知メッセージとして選択する手段をさらに含むことを特徴とするメッセージ代行通知装置。
【請求項１０】
サービス提供者側の代行依頼装置が、イベント通知メッセージを識別するものであって宛先を特定できない一意の符号又は記号を用いたメッセージIDをサービス利用者側のサービス利用者を介してメッセージ受信装置に提供する手段と、
メッセージ代行通知を行う装置が、前記メッセージ受信装置より前記メッセージID及び前記メッセージ受信装置の連絡先情報の組を受信して保持する手段と、
前記メッセージ代行通知を行う装置が、前記代行依頼装置から、イベントが発生したことに伴って前記メッセージIDを受信したとき、前記メッセージIDと組になっている前記連絡先情報のメッセージ受信装置に対して、前記メッセージIDに対応したイベント通知メッセージを送信する手段と、
を備え、前記送信手段は、前記代行依頼装置が、予め記憶した複数のメッセージIDとメッセージIDの各々に対応した同一又は固有のイベント通知メッセージの組に基づいて前記メッセージIDと共に送信した前記メッセージIDに対応するイベント通知メッセージも併せて受信する手段をさらに含むことを特徴とするメッセージ代行通知装置。
【請求項１１】
メッセージ代行通知を行う装置が、イベント通知メッセージを識別するものであって宛先を特定できない一意の符号又は記号を用いたメッセージIDをサービス利用者側のメッセージ受信装置に提供する手段と、
前記メッセージ代行通知を行う装置が、前記メッセージ受信装置より前記メッセージID及び前記メッセージ受信装置の連絡先情報の組を受信して保持する手段と、
前記サービス利用者によるバーコード提供で前記メッセージIDを取得したサービス提供者である代行依頼装置から、イベントが発生したことに伴って前記メッセージIDを受信した前記メッセージ代行通知を行う装置が、前記メッセージIDと組になっている前記連絡先情報のメッセージ受信装置に対して、前記メッセージIDに対応したイベント通知メッセージを送信する手段と、
を備え、前記送信手段は、前記代行依頼装置が、予め記憶した複数のメッセージIDとメッセージIDの各々に対応した同一又は固有のイベント通知メッセージの組に基づいて前記メッセージIDと共に送信した前記メッセージIDに対応するイベント通知メッセージも併せて受信する手段をさらに含むことを特徴とするメッセージ代行通知装置。
【請求項１２】
メッセージ代行通知を行う装置が、イベント通知メッセージを識別するものであって宛先を特定できない一意の符号又は記号を用いたメッセージIDをサービス利用者側のメッセージ受信装置に提供する手段と、
前記メッセージ代行通知を行う装置が、前記メッセージ受信装置より前記メッセージID及び前記メッセージ受信装置の連絡先情報の組を受信して保持する手段と、
前記サービス利用者の人体又は物に貼付されている前記メッセージIDを読み取ったサービス提供者である代行依頼装置から前記メッセージIDを受信した前記メッセージ代行通知を行う装置が、前記メッセージIDと組になっている前記連絡先情報のメッセージ受信装置に位置する前記サービス利用者に対して、前記メッセージIDに対応したイベント通知メッセージを送信する手段と、
を備え、前記送信手段は、前記代行依頼装置が、予め記憶した複数のメッセージIDとメッセージIDの各々に対応した同一又は固有のイベント通知メッセージの組に基づいて前記メッセージIDと共に送信した前記メッセージIDに対応するイベント通知メッセージも併せて受信する手段をさらに含むことを特徴とするメッセージ代行通知装置。
【発明の詳細な説明】
【技術分野】
【０００１】
本発明は、メッセージ代行通知方法及び装置に関するものであり、特に、イベント通知者がサービス利用者に対してサービスのイベント通知メッセージを伝達する方法及び装置関するものである。
【背景技術】
【０００２】
上記のようなイベント通知メッセージ（以下、単にメッセージと称することがある。）を用いる状況としては、従来より、以下のようなものが挙げられる。
・レストランにおける空席待ちの場合、サービス提供者(イベント通知者)であるレストランに、サービス利用者の携帯電話の電話番号を知らせておき、空席ができたというイベント通知メッセージを、レストランからサービス利用者にメールや電話等で知らせる場合。
・落し物対策として、所有物にサービス利用者である所有者の連絡先を記した紙を貼付し、所有物を紛失したときにイベント通知者である拾得者（連絡所）に、遺失物を見つけたというイベント通知メッセージをメールや電話等で、所有者に連絡してもらう場合。
・迷子対策として、子供にサービス利用者である親の連絡先を記入した札を持たせ、迷子になった子供を見つけたイベント通知者である発見者（連絡所）から、迷子を見つけたというイベント通知メッセージを、メールや電話等で親に連絡してもらう場合。
【０００３】
このように、いずれの場合も、メッセージの送信者にメッセージの受信者の連絡先であるメールアドレスや電話番号を、予め知らせて行っていた。
【０００４】
また、WWWサーバが音声掲示板HPを提示し、そのURLがメッセージ入力者に知らされ、HPを参照すると音声メッセージ入力用電話番号とID番号が提示され、入力者が電話をかけるとID番号が要求され、入力された音声メッセージと情報がHPに掲載されるようにした音声メッセージ収集システム及び音声メッセージ収集サーバがある(例えば、特許文献1参照。)。
【特許文献１】特開2002-251360号公報
【発明の開示】
【発明が解決しようとする課題】
【０００５】
上記の如く、従来においては、レストラン・拾得者・発見者といった送信者(イベント通知者)に対して、サービス利用者は何らかの形で事前に自分の個人情報を直接知らせる必要があり、以下のような課題があった。
１．メールアドレスや電話番号といった個人情報を開示したり、所有物や子供に個人情報を持たせる必要があり、個人情報が漏洩し、目的外で利用される可能性があった。
２．個人情報保護の観点から、送信者において連絡先の管理コストが高くなる。
３．上記1の理由から、利用者が情報漏えいを危惧してサービスを利用しなくなる。
【０００６】
従って、本発明は、イベント通知メッセージの送信者にサービス利用者の連絡先を開示しなくても、サービス利用者がイベント通知メッセージを受信できる方法及び装置を提供することを目的とする。
【課題を解決するための手段】
【０００７】
◎本発明[1]に係るメッセージ代行通知方法(及び装置)は、サービス提供者側の代行依頼装置が、イベント通知メッセージを識別するものであって宛先を特定できない一意の符号又は記号を用いたメッセージIDをサービス利用者側のメッセージ受信装置に提供するステップと、メッセージ代行通知を行う装置が、前記メッセージ受信装置より前記メッセージID及び前記メッセージ受信装置の連絡先情報の組を受信して保持するステップ(及び手段)と、前記メッセージ代行通知を行う装置が、前記代行依頼装置から、イベントが発生したことに伴って前記メッセージIDを受信したとき、前記メッセージIDと組になっている前記連絡先情報のメッセージ受信装置に対して、前記メッセージIDに対応したイベント通知メッセージを送信するステップ(及び手段)と、を備え、前記送信ステップ(及び手段)は、前記メッセージ代行通知を行う装置が、予め記憶した複数のメッセージIDとメッセージIDの各々に対応した同一又は固有のイベント通知メッセージの組に基づいてイベントの発生に伴って受信した前記メッセージIDに対応するイベント通知メッセージを送信対象のイベント通知メッセージとして選択するステップ(及び手段)をさらに含むことを特徴としている。
あるいは、前記送信ステップ(及び手段)は、前記代行依頼装置が、予め記憶した複数のメッセージIDとメッセージIDの各々に対応した同一又は固有のイベント通知メッセージの組に基づいて前記メッセージIDと共に送信した前記メッセージIDに対応するイベント通知メッセージも併せて受信するステップ(及び手段)をさらに含むものである。
【０００８】
以下、本発明[1]を図1を参照して説明する。
【０００９】
まず、サーバ運用者が位置する代行サーバ（メッセージ代行通知装置）1において各種のイベント通知メッセージを識別するための識別子としてのメッセージID（例えば、2次元バーコード(QRコード)又は無線タグ）を有していると仮定すると、この代行サーバ1から該メッセージIDがイベント通知者が位置する代行依頼装置2に対してHTTPなどによって提供される（ステップS1,S2）。これは必須の動作ではないため、図中点線で示す。
【００１０】
なお、このメッセージIDは宛先を特定できない一意の符号又は記号を用いたもので、代行依頼装置2において予め用意されている場合には上記のステップS1及びS2は実行する必要がない。
【００１１】
その後、第1ステップでは、例えば、メッセージ受信装置3に位置するサービス利用者がサービスを受けるため代行依頼装置2の店舗に来店した場合などにおいて、代行依頼装置2からメッセージIDがサービス利用者に提供される（ステップS3）ので、メッセージ受信装置3はメッセージIDを取得することになる（ステップS4）。
【００１２】
このようにして代行依頼装置2から取得したメッセージIDと、メッセージ受信装置3自身の連絡先情報（例えばメッセージIDである2次元バーコードと組になったメールアドレス、又は電話番号）の組が、代行サーバ1に対してHTTP, SMTPなどにより送られて登録される（ステップS5,S6）。
【００１３】
この後、例えば(1)サービス完了、又は(2)サービス可能などのイベントが発生したとき（ステップS7）、代行依頼装置2からメッセージIDが代行サーバ1に対してやはりHTTP, SMTPなどによって送られるので、代行サーバ1においてメッセージIDが取得されることになる（ステップS8,S9）。
【００１４】
代行サーバ1においては、取得したメッセージIDに対応するイベント通知メッセージをデータベース等に登録している場合には、このメッセージIDに対応するイベント通知メッセージと共に、ステップS5及びS6において取得したメッセージ受信装置3の連絡先情報（例えば、メールアドレス）を取得し（ステップS10）、この連絡先情報のメッセージ受信装置3に対して該メッセージIDに対応するイベント通知メッセージをSMTP, POPなどによって送信し（ステップS11）、メッセージ受信装置3においてこれを受信する（ステップS12）。
【００１５】
なお、代行依頼装置2において、メッセージIDに対するイベント通知メッセージを組で保持している場合には、ステップS8においてメッセージIDとメッセージとが送信され、さらに該メッセージが該メッセージIDと組になった連絡先情報の受信装置3へ転送されることとなる。
【００１６】
また、上記のメッセージIDは複数存在し、これらのメッセージIDの各々に対応した同一又は固有のイベント通知メッセージの組を代行サーバ1又は代行依頼装置2において予め記憶することも可能である。
【００１７】
このように、イベントの通知を代行依頼する代行依頼装置2におけるイベント通知者が、サービス利用者におけるメッセージ受信装置3のメールアドレス等を一切知ることなく、匿名の形で代行サーバ1を経由してイベント通知メッセージを送信することが可能となる。
◎本発明[2]に係るメッセージ代行通知方法(及び装置)は、メッセージ代行通知を行う装置が、イベント通知メッセージを識別するものであって宛先を特定できない一意の符号又は記号を用いたメッセージIDをサービス利用者側のメッセージ受信装置に提供するステップ(及び手段)と、前記メッセージ代行通知を行う装置が、前記メッセージ受信装置より前記メッセージID及び前記メッセージ受信装置の連絡先情報の組を受信して保持するステップ(及び手段)と、前記サービス利用者によるバーコード提供で前記メッセージIDを取得したサービス提供者である代行依頼装置から、イベントが発生したことに伴って前記メッセージIDを受信した前記メッセージ代行通知を行う装置が、前記メッセージIDと組になっている前記連絡先情報のメッセージ受信装置に対して、前記メッセージIDに対応したイベント通知メッセージを送信するステップ(及び手段)と、を備え、前記送信ステップは、前記メッセージ代行通知を行う装置が、予め記憶した複数のメッセージIDとメッセージIDの各々に対応した同一又は固有のイベント通知メッセージの組に基づいてイベントの発生に伴って受信した前記メッセージIDに対応するイベント通知メッセージを送信対象のイベント通知メッセージとして選択するステップをさらに含むことを特徴としている。
あるいは、前記送信ステップ(及び手段)は、前記代行依頼装置が、予め記憶した複数のメッセージIDとメッセージIDの各々に対応した同一又は固有のイベント通知メッセージの組に基づいて前記メッセージIDと共に送信した前記メッセージIDに対応するイベント通知メッセージも併せて受信するステップ(及び手段)をさらに含むものである。
【００１８】
以下、本発明[2]を図2を参照して説明する。
【００１９】
本発明[2]と図1に示した本発明[1]との差異は、図示のように、ステップS13〜S15に在る。すなわち、メッセージ受信装置3におけるメッセージID取得（ステップS4）は、図1の本発明[1]のように代行依頼装置2からではなく、サーバ運用者(システム運用者)が存在している代行サーバ1から提供される（ステップS13）。
【００２０】
その後、ステップS5及びS6により、メッセージ受信装置3の連絡先情報（メールアドレス）が、該取得したメッセージIDと共に代行サーバ1に送られて登録される（ステップS6）が、メッセージ受信装置3においては、更に該取得したメッセージIDをサービス利用者が代行依頼装置2に対して提供し（ステップS14）、代行依頼装置2はこのメッセージIDを取得する（ステップS15）。これは、メッセージ受信装置3におけるサービス利用者が代行依頼装置2に来店し、このメッセージIDを渡すような場合に相当する。
【００２１】
この後は、ステップS7〜S12を上記の本発明[1]と同様にして実行することにより、イベントの通知を代行依頼する代行依頼装置2におけるイベント通知者が、サービス利用者におけるメッセージ受信装置3のメールアドレス等を一切知ることなく、匿名の形で代行サーバ1を経由してイベント通知メッセージを送信することが可能となる。
◎本発明[3]に係るメッセージ代行通知方法(及び装置)は、  メッセージ代行通知を行う装置が、イベント通知メッセージを識別するものであって宛先を特定できない一意の符号又は記号を用いたメッセージIDをサービス利用者側のメッセージ受信装置に提供するステップ(及び手段)と、前記メッセージ代行通知を行う装置が、前記メッセージ受信装置より前記メッセージID及び前記メッセージ受信装置の連絡先情報の組を受信して保持するステップ(及び手段)と、前記サービス利用者の人体又は物に貼付されている前記メッセージIDを読み取ったサービス提供者である代行依頼装置から前記メッセージIDを受信した前記メッセージ代行通知を行う装置が、前記メッセージIDと組になっている前記連絡先情報のメッセージ受信装置に対して、前記メッセージIDに対応したイベント通知メッセージを送信するステップ(及び手段)と、を備え、前記送信ステップ(及び手段)は、前記メッセージ代行通知を行う装置が、予め記憶した複数のメッセージIDとメッセージIDの各々に対応した同一又は固有のイベント通知メッセージの組に基づいてイベントの発生に伴って受信した前記メッセージIDに対応するイベント通知メッセージを送信対象のイベント通知メッセージとして選択するステップをさらに含むことを特徴としている。
あるいは、前記送信ステップ(及び手段)は、前記代行依頼装置が、予め記憶した複数のメッセージIDとメッセージIDの各々に対応した同一又は固有のイベント通知メッセージの組に基づいて前記メッセージIDと共に送信した前記メッセージIDに対応するイベント通知メッセージも併せて受信するステップ(及び手段)をさらに含むものである。
【００２２】
以下、本発明[3]を図3を参照して説明する。
【００２３】
本発明[3]と図2に示した本発明[2]との差異は、本発明[2]がステップS14及びS15においてメッセージ受信装置3のサービス利用者が代行依頼装置2に移動したような場合を想定しているが、本発明[3]の場合には、メッセージ受信装置3におけるサービス利用者が、自己の所有物や人体(子供)にメッセージIDを貼付しておき（ステップS16）、このメッセージIDが貼付された物が例えば遺失物として代行依頼装置(連絡所)2において発見され、このメッセージIDが代行依頼装置2において読み取られたような場合を想定している（ステップS17）点が異なっている。
【００２４】
すなわち、ステップS16において人体や物にメッセージIDが貼付されたことにより、このような迷子又は遺失物が代行依頼装置2に来たような場合、このメッセージIDを読み取ることにより、上記と同様にステップS8〜S12を実行することで、代行依頼装置2におけるイベント通知者がメッセージ受信装置3におけるサービス依頼者の連絡先情報を一切知ることなく必要なイベント通知メッセージを伝達することが可能となる。
【発明の効果】
【００２５】
このように本発明によれば、レストランなど利用者が待たされている状態でサービスが可能になった場合に、待ち状態が解消されたことなどを利用者に通知する場合、或いは遺失物発見時などにおいて所有者へ発見したことを通知する場合、イベント通知メッセージを送信する者に連絡先を知らせなくても、サービス利用者はそのイベント通知メッセージを受信することが出来ると共に、仮にメッセージIDが第三者に渡っても個人情報が特定されないという利点がある。
【発明を実施するための最良の形態】
【００２６】
図4は、図1〜図3に示した本発明[1]〜[3]の動作例をまとめて示したものである。従って、同一ステップには同一符号が示されているが、点線で示した部分は特に本発明[2]及び[3]の動作例を示している。また、この図4の全体図においては、代行サーバ1と代行依頼装置2との間で初期登録(1)が実行されるように示されている。
【００２７】
図5は、図4に示した代行サーバ1の構成実施例を示している。この実施例では、代行サーバ1は、データベース1_1を備えている。このデータベース1_1は、図示のように、代行依頼装置2の店舗名と、メッセージIDと受信装置3のメールアドレスと、イベント通知メッセージとで構成されており、図示のように同一店舗に対して異なるメッセージIDが登録可能であり、また、同一メッセージIDに対して異なる受信装置アドレスが登録可能である。また、イベント通知メッセージは各メッセージIDの異なるものが登録されているが同一内容でも構わない。なお、このデータベース1_1は、後述するようにイベント通知メッセージが各メッセージIDに対応して代行依頼装置2に設けられている場合があり、そのような場合には、このデータベース1_1中にイベント通知メッセージは必要ない。
【００２８】
データベース1_1は、ID処理部1_2と宛先登録部1_3と宛先検索部1_4とメッセージ作成部1_5に接続され、更にこれらを経由して送受信部1_6及びネットワーク1_7からネットワークNWに接続されている。
【００２９】
図6は、図4に示した代行依頼装置2の構成実施例を示しており、この実施例では、代行依頼装置2は、メッセージデータベース2_1と、2次元バーコードや無線タグ(RFID)などの記録媒体を読み取るID入力装置2_2と、メッセージデータベース2_1及びID入力装置2_2に接続されたID＋メッセージ送信部2_3と、メッセージIDを画面や印刷物として出力するID出力装置2_5と、IDデータベース2_4と、ID＋メッセージ送信部2_3及びIDデータベース2_4をネットワークNWに接続するネットワークインタフェース2_6とで構成されている。
【００３０】
すなわち、代行依頼装置2は、バーコードやRFIDなどの記録媒体を読み取るID入力装置2_2から取得したメッセージIDをネットワークNW上に送信できるメッセージとして構成し、代行依頼装置2が接続されたネットワークNWを利用して予め与えられた代行サーバ1のアドレスに対して送信される。なお、ID入力装置2_2は代行依頼装置2_2の一機能であっても良いし、代行依頼装置2と接続された別の装置でも良い。
【００３１】
代行依頼装置2は入力されたメッセージIDもしくは代行サーバ1から取得したメッセージIDをIDデータベース2_4に蓄えて、ID出力装置2_5を経由して利用者にメッセージIDを表示または渡す機能を有する。代行依頼装置2がオリジナルのメッセージIDを持つ場合は代行サーバ1へメッセージIDを登録する。代行依頼装置2はメッセージIDに対応するメッセージを記憶したメッセージデータベース2_1を持っていてもよく、イベントが発生したことを契機に、メッセージIDと共にメッセージIDに対応するメッセージを代行サーバに送信しても良いし、イベント発生時刻やイベントの種類などに応じて予め記憶しておいたメッセージを組み合わせるなどして動的にメッセージを生成してメッセージIDと共に送信しても良く、或いはメッセージIDだけを送信しても良い。メッセージIDだけを送信する場合は、予め代行サーバ1のデータベース1_1に、メッセージIDと対応するメッセージを登録しておく。いずれにしても、メッセージIDとイベント通知メッセージとの組は代行サーバ1及び代行依頼装置2のいずれかのデータベースに予め登録しておく必要がある。従って、代行依頼装置2のイベント通知者と、受信装置3のサービス利用者は、例えば、代行サーバ1のサービス運用者の会員を構成してもよい。
【００３２】
なお、この図6に示した代行依頼装置2において、図5に示したように、イベント通知メッセージが代行サーバ1のデータベース1_1に登録されている場合には、メッセージデータベース2_1は必要ない。また、ID入力装置2_2は代行依頼装置2に接続された別の装置でもよい。
【００３３】
図7〜図10は本発明の実施例の種々の手順例を示しており、以下、図4〜図6並びに図7〜図10を参照して本発明[1]〜[3]の動作実施例について説明する。
◎本発明[1]の動作実施例（ID渡し→登録→店が保管→呼び出し）
本実施例は、図1示したように、レストランなどの店舗でサービスを待っている、もしくは店舗での商品受け渡しを待っている受信者が、代行サーバを使って、サービス待ち状態の解消またはサービス完了の通知を送信者から受信する以下の手順(1)〜(5)を実行するものである。
(1) 受信者3に何らかのサービスを提供する店舗2は予め代行型イベント通知サービスの提供者1からメッセージIDとしてバーコードをインターネットなどの通信手段および、紙などの印刷媒体によって受け取っておく。
(2) 受信者3が来店し店舗2が受信者3を待たせる場合に、受信者3を一意に識別できるメッセージID（バーコード）を印刷物、口頭、ディスプレイ上などで受信者3に提示し、受信者3はこのメッセージIDを受け取る。この場合、送信者2は受信者3のアドレスを知らずに連絡することになる（ステップT1）。
(3) 受信者3は所有している携帯電話などを用いて受信装置3としての携帯電話のメールアドレスおよびメッセージIDをwebやメールを用いて代行サーバ1に登録する。この場合、受信者3は通知元の送信者2へアドレスを公開する必要がない（ステップT2）。
(4) 店舗2が受信者3に対してサービスが可能になったこと、またはサービスが完了したこと、というイベントをメールのメッセージとして通知したいときに、代行サーバ1に対して受信者3に対応するメッセージIDを、インターネットを用いてTCPプロトコルなどで送信する。
(5) メッセージIDを受信した代行サーバ1はデータベースを利用してメッセージIDからメールアドレスを取得し、該メッセージIDから、依頼した店舗2用に用意したメッセージを作成、受信者（受信装置）3のアドレス宛に作成したメッセージをメールにて送信する。この場合、アドレスを送信者2に知られずにイベント通知メッセージを受信することができる（ステップT3）。
【００３４】
このようにして、受信者3はメールを受信し、メッセージから、店舗2においてサービスが可能になった、またはサービスが完了したことを知ることができる。
【００３５】
上記(1)〜(5)の手順をより詳しく以下に説明する。
【００３６】
(1)初期登録（ステップS1,S2）
まず、図7に示すように、代行依頼装置2に代行サーバ1のアドレスを登録し（ステップS51）、代行依頼装置2から代行サーバ1への通信を可能な状態にする。次に、オリジナルIDが代行サーバ1及び代行依頼装置2のいずれかに保持されているかを判定し（ステップS52）、その結果に応じてどちらかの装置にオリジナルとなるメッセージIDが入力され、データベースにオリジナルのメッセージIDが記憶される。
【００３７】
すなわち、代行依頼装置2がIDデータベース2_4にオリジナルのメッセージIDを保持している場合は、代行サーバ1上で一意に識別可能なメッセージIDが代行依頼装置2のIDデータベース2_4に入力される（ステップS48）と共に、これを代行サーバ1のデータベース1_1に登録する（ステップS54;S47）。ここで、一意なメッセージIDは、例えば、代行依頼装置2が生成する任意の文字列に、予め代行依頼装置2に入力した代行依頼装置2に固有の文字列を付加したものなどで構成しても良いし、代行依頼装置2毎に異なる連続した番号空間を代行依頼装置2自身が生成しても良い。
【００３８】
代行サーバ1がオリジナルのメッセージIDをデータベース1_1に保持しているときは、代行サーバ1のデータベース1_1に代行依頼装置名とメッセージIDの組を登録する。なお、データベース1_1は代行サーバ1の一機能であってもよいし、代行サーバ1が自由に参照・変更できる異なるサーバ装置であっても良い。
【００３９】
このようにメッセージIDを登録した後、図5に示す代行サーバ1のID処理部1_2は代行依頼装置2（もしくは受信装置3のサービス利用者）からメッセージIDの取得を要求されたとき（図5のステップS22）、データベース1_1を参照して利用可能なメッセージIDを要求者に対して応答する（ステップS23〜S25;S1,S2）。代行依頼装置2からメッセージIDを代行サーバ1に登録する場合、ID処理部1_2がデータベース1_1への登録を実行する（ステップS22,S23）。
【００４０】
また、受信装置3の利用者へ通知するイベント通知メッセージは予め代行サーバ1のデータベース1_1にメッセージIDとの組で登録しておいてもよいし（ステップS55,S56）、代行依頼装置2のメッセージデータベース2_1にやはりメッセージIDとの組で登録しておいてもよい（ステップS55,S57）。後者の場合には、メッセージIDとメッセージを代行サーバ1に送信してもよいし、イベント発生時に代行依頼装置2が予め記憶しておいたメッセージのうち適切なものを選択してメッセージIDとメッセージを代行サーバ1に送信してもよい。
【００４１】
代行サーバ1からのメッセージIDは代行依頼装置2のIDデータベース2_4に登録され（ステップS45）、ID出力装置2_5から画面又は印刷物の形で出力される（ステップS46）。メッセージデータベース2_1は代行サーバ1または代行依頼装置2の一機能であってもよいし、代行サーバ1または代行依頼装置2が自由に参照・変更できる異なるサーバ装置であっても良い。
【００４２】
このように、代行サーバ1のデータベース1_1においてイベント通知メッセージが登録される場合には、図6に示す代行依頼装置2のメッセージデータベース2_1は不必要となり、逆に代行依頼装置2にメッセージデータベース2_1が設けられている場合には、代行サーバ1におけるデータベース1_1内のイベント通知メッセージは必要無くなる。
【００４３】
(2)ID提供（ステップS3,S4）
メッセージIDは代行依頼装置2から、一般に知られているQRコード（2次元バーコード）などがサービス利用者又はサービス利用者が所有するメッセージ受信装置3で読み取れるように直接配布・提示されるが、メール等で提示してもよい。
【００４４】
(3)ID＋アドレス登録（ステップS5,S6）
このID＋アドレス登録の手順が図8に示されている。メッセージ受信装置3は、上記(2)で提供されたメッセージIDを自装置のメールアドレスと組み合わせて代行サーバ1へ送信して登録する（ステップS5,S6）。なお、この登録は基本的にメッセージ受信装置3からの要求で実行されるが、メッセージ受信装置3以外の第三者が登録してもよい。また、このメッセージIDとメールアドレスの登録は、上記のQRコードを用いれば、メッセージIDをメッセージ受信装置3としての携帯電話が内蔵カメラで撮影し、このメッセージIDを認識した後に、所定の手順を実行すれば、自分の携帯電話などのメールアドレスが自動的に代行サーバ1へ送信できる。
【００４５】
このように、メッセージIDとメールアドレスを受信（ステップS61;S26）した代行サーバ1においては、宛先登録部1_3がデータベース1_1のメッセージIDをキーに検索を行なう（ステップS62;S27）。この結果、メッセージ受信装置3からのメッセージIDがデータベース1_1中に発見された場合（ステップS63）のみ、ステップS64に進み、受信装置3のアドレスが未登録であるか否かを判定する（ステップS64）。この結果、受信装置3のアドレスが未登録であった場合には、該メッセージIDをキーにして受信装置3のアドレスを登録する（ステップS66;S28）。
【００４６】
このようにして、例えば店舗Bについてのアドレス“bbb11@touroku.daikou”に対して受信装置3のアドレス“hoge@hoge”が登録されることになる。なお、受信装置3のアドレスが登録済であった場合には、複数アドレスが登録可能であれば、この場合も登録を行う（ステップS65,S66;S28）。
【００４７】
この後、宛先登録部1_3は登録完了通知を送信する（ステップS67;S29）。この登録完了通知は送受信部1_6及びネットワークインタフェース1_7を経由してメッセージ受信装置3へ送られることになる。なお、この代行サーバ1のデータベース1_1は、代行サーバ1の一機能であってもよいし、代行サーバ1が自由に参照・変更できる異なるサーバ装置であってもよい。また、データベース1_1においては、新しく登録できるメッセージIDか、有効なメッセージIDかをチェックし（ステップS27）、登録できない場合は登録を拒否してもよい。
【００４８】
(4)ID（又はID＋メッセージ）送信（ステップS8,S9）
この手順の前には、図1〜図3にも示したように、イベント発生（ステップS7）が前提となる。すなわち、図9においてこの送信手順が示されている通り、代行依頼装置2においては、上記(2)において提示したメッセージIDを送信するに際して、代行サーバ1のアドレスを取得し（ステップS82）、ID情報を作成し（ステップS83）、そしてID情報を送信する（ステップS84）。
【００４９】
この場合、イベント通知メッセージが代行サーバ1のデータベース1_1に格納されている場合にはイベント通知メッセージを送信する必要はないが、代行依頼装置2におけるメッセージデータベース2_1が存在するときには、ID＋メッセージ送信部2_3が、ID入力装置2_2からの2次元バーコードや無線タグなどのメッセージIDとメッセージデータベース2_1からのメッセージとを送信することになる（ステップS43,S44）。
【００５０】
(5)イベント通知メッセージ送信（ステップS11,S12）
このときの手順が図10に示されている。すなわち、上記(4)により代行依頼装置2からメッセージIDを受信すると（ステップS71;S30）、代行サーバ1における宛先検索部1_4はメッセージIDをキーにしてデータベース1_1において検索を行なう（ステップS72;S31）。この結果、データベース1_1においてメッセージIDが検索された場合には（ステップS73）、宛先検索部1_4は受信装置3のアドレスをデータベース1_1から取得し（ステップS74;S32）、さらに、受信装置3のアドレスと共にID（又はID＋メッセージ）をメッセージ作成部1_5に与える（ステップS33,S34）。
【００５１】
メッセージ作成部1_5はデータベース1_1を検索（ステップS35）することにより、上記の例においては、ID＝“bbb11@touroku.daikou”に対応するイベント通知メッセージ「すそ上げが終了しました」というメッセージを取り出し（ステップS36）、メッセージを作成して（ステップS75）、メッセージ送信を行なう（ステップS76;S37）。
【００５２】
なお、代行依頼装置2がメッセージIDと共にメッセージを送信して来たときには、受信したメッセージをメッセージ受信装置3に対して転送すればよい。いずれにしても、最終的にサービス利用者はイベント通知メッセージを代行サーバ1から受けることになる。
【００５３】
上記の手順は代表的な形態であり、これに限るものではない。例えば、以下のようなバリエーションが考えられる。
【００５４】
上記(1)及び(2)では、メッセージIDとしてバーコードを用いたが、上述したように、バーコードはQRコードなどの2次元バーコードなど任意のものを利用しても良く、バーコード以外にも受信者（受信装置）3が可読な数字や文字列、受信者情報を登録できる電話番号、受信者（受信装置）3が聴取可能な音声、受信装置3にて受信可能な無線タグ(RFID)などの非接触型・接触型の通信手段を用いて受信者（受信装置）3に伝えてもよい。
【００５５】
上記(3)では、受信者3毎に異なる登録用のURLで表示されるサイトで受信者3がメールアドレスを入力するか、受信者に共通するURLで表示されるweb上のフォームとしてメッセージIDおよび受信者のメールアドレスを入力するwebページから受信者が情報を入力する例を示した。その他にも、例えばメッセージIDとしてバーコードで表示される受信者登録用の受信者3を一意に識別できる空メール（本文やSubjectがない、メールのあて先と送信者情報だけで構成されるメール）のアドレスを用いることで、受信装置3がバーコードリーダを持っていれば、受信者3が登録先のアドレス、自身のアドレスを通信手段を用いてキー入力して代行サーバに登録する手間が不要になる。この場合、バーコード情報としては受信者3毎に異なる登録用のメールアドレスを含むコードを生成してもよいし、登録用のアドレスは共通で、Subjectや本文に指定するバーコード情報に受信者3毎に異なるID情報を入れたバーコードを生成してもよい。また、バーコードを利用しない場合でも、送信者2から非接触・接触型の通信手段を用いて、メールアドレスやURL、電話番号、など受信者の宛先アドレスを登録できる任意の通信手段を示すデータを受信者（受信装置）3に伝えてもよい。
【００５６】
また、データベースでは送信されたID情報が有効か否かをチェックしてもよく、例えば、すでに宛先アドレスが登録されたメッセージIDへの登録要求はこれを拒否してもよく、データベースに登録を要求して来た要求元である受信装置3のIPアドレス、メールアドレス、電話番号などの情報を用いて許可された受信者（受信装置）3からしか登録を許可しなくてもよい。
【００５７】
さらには、メッセージIDに有効期限が含まれている、もしくはIDデータベースに有効期限が記憶されているなどメッセージIDに有効期限がある場合は、有効期限内であれば登録を許可するなどしてもよい。
【００５８】
上記(4)では、インターネット上でTCPプロトコルを利用したが、これに代わるいかなるプロトコルや電話などの通信手段を用いてもよい。
【００５９】
上記(5)では、代行サーバ1から受信者3へは任意のプロトコルおよび通信手段を利用してメッセージを通知してもよい。例えば、電話により音声で通知してもよいし、インターネット上でhttpやSIPなどのプロトコルを用いてもよい。
◎本発明[2]の動作実施例（ID渡し→登録→本人が保管→来店でID提示→呼び出し）
(6)ID取得（ステップS13,S14）
上記本発明[1]の実施例においては送信者2が受信者3にメッセージIDを渡していたが、本実施例では受信者3が送信者2にメッセージID（バーコードなど）を与えることで、送信者2がメッセージIDを取得する手間とコストを省いている（ステップS13,S14）。
【００６０】
受信者3は予めイベント通知サービスの代行者1からメッセージIDとしてバーコードをインターネットなどの通信手段および、紙などの印刷媒体によって受け取っておく（ステップS14,S15）。
【００６１】
(7)ID提供（ステップS14,S15）
次に、受信者3がメッセージIDに対応するメールアドレスを登録し、受信者3が店舗2に来店したときに店舗2にメッセージIDを示す。このとき、店舗2はメッセージIDを読み取るなどして、メッセージIDがどの代行サーバ1に送信すべきメッセージIDかを識別する。
【００６２】
その他の手順は上記(1)〜(5)と同様である。
◎本発明[3]の動作実施例（遺失物ケース：ID渡し→登録→本人が保管→本人の手元を離れる→呼び出し）
(8)ID貼付(ステップS16)
上記本発明[2]の実施例では、手順(7)において受信者3が明示的に送信者2にメッセージID（バーコードなど）を提示したが、本実施例では、手順(7)に際して、受信者3の持ち物、受信者3の子供などの同伴者にメッセージIDを貼付する。
【００６３】
(9)ID取得(ステップS17)
この後、メッセージIDを貼付された物・人が受信者3の監視下を離れて行方不明になったときに、鉄道、バス、公共施設、店舗、などにメッセージIDを貼付された物・人がメッセージIDを発見したとする。そのときに、送信者2はメッセージIDを入手して、これを予め知っていた代行サーバ1へ送信することで、上記実施例と同様に、受信者3にメッセージ付きのメールを送信することができる。
【００６４】
また、メッセージIDに代行サーバのURL, メールアドレス、および遺失物と持ち主を特定できる情報を記号で入れておき、第三者が代行サーバ1経由で直接通知できるようにしてもよい。
【００６５】
（付記１）
代行依頼装置から、宛先を特定できない一意の符号又は記号を用いたメッセージIDの提供を受けたメッセージ受信装置より取得した該メッセージID及び該メッセージ受信装置の連絡先情報の組を保持する第1ステップと、
該代行依頼装置から、イベントが発生したことに伴って該メッセージIDを受信したとき、該メッセージIDと組になっている該連絡先情報のメッセージ受信装置に対して、該メッセージIDに対応したイベント通知メッセージを送信する第2ステップと、
を備えたことを特徴とするメッセージ代行通知方法。
（付記２）
宛先を特定できない一意の符号又は記号を用いたメッセージIDの提供を受けたメッセージ受信装置より取得した該メッセージID及び該メッセージ受信装置の連絡先情報の組を保持する第1ステップと、
該メッセージ受信装置から該メッセージIDを取得した該代行依頼装置から、イベントが発生したことに伴って該メッセージIDを受信したとき、該メッセージIDと組になっている該連絡先情報のメッセージ受信装置に対して、該メッセージIDに対応したイベント通知メッセージを送信する第2ステップと、
を備えたことを特徴とするメッセージ代行通知方法。
（付記３）
宛先を特定できない一意の符号又は記号を用いたメッセージIDの提供を受けたメッセージ受信装置より取得した該メッセージID及び該メッセージ受信装置の連絡先情報の組を保持する第1ステップと、
人体又は物に貼付されている該メッセージIDを読み取った該代行依頼装置から該メッセージIDを受信したとき、該メッセージIDと組になっている該連絡先情報のメッセージ受信装置に対して、該メッセージIDに対応したイベント通知メッセージを送信する第2ステップと、
を備えたことを特徴とするメッセージ代行通知方法。
（付記４）付記１において、
該代行依頼装置に該メッセージIDを提供するステップをさらに含むことを特徴とするメッセージ代行通知方法。
（付記５）付記２又は３において、
該受信装置に該メッセージIDを提供するステップをさらに含むことを特徴とするメッセージ代行通知方法。
（付記６）付記１から３のいずれか一つにおいて、
複数のメッセージIDと該メッセージIDの各々に対応した同一又は固有のイベント通知メッセージの組を予め記憶するステップをさらに含むことを特徴とするメッセージ代行通知方法。
（付記７）付記１から３のいずれか一つにおいて、
該代行依頼装置が、複数のメッセージIDと該メッセージIDの各々に対応した同一又は固有のイベント通知メッセージの組を予め記憶するステップをさらに含み、該第2ステップが、該代行依頼装置から該メッセージIDと共に該メッセージも併せて受信するステップを含むことを特徴とするメッセージ代行通知方法。
（付記８）付記１から３のいずれか一つにおいて、
該メッセージIDが、2次元バーコード又は無線タグであることを特徴とするメッセージ代行通知方法。
（付記９）付記１から３のいずれか一つにおいて、
該連絡先情報が、該メッセージIDである2次元バーコードと組になったメールアドレス、又は電話番号であることを特徴とするメッセージ代行通知方法。
（付記１０）
代行依頼装置から、宛先を特定できない一意の符号又は記号を用いたメッセージIDの提供を受けたメッセージ受信装置より取得した該メッセージID及び該メッセージ受信装置の連絡先情報の組を保持する第1手段と、
該代行依頼装置から、イベントが発生したことに伴って該メッセージIDを受信したとき、該メッセージIDと組になっている該連絡先情報のメッセージ受信装置に対して、該メッセージIDに対応したイベント通知メッセージを送信する第2手段と、
を備えたことを特徴とするメッセージ代行通知装置。
（付記１１）
宛先を特定できない、一意の符号又は記号を用いたメッセージIDの提供を受けたメッセージ受信装置より取得した該メッセージID及び該メッセージ受信装置の連絡先情報の組を保持する第1手段と、
該メッセージ受信装置から該メッセージIDを取得した代行依頼装置から、イベントが発生したことに伴って該メッセージIDを受信したとき、該メッセージIDと組になっている該連絡先情報のメッセージ受信装置に対して、該メッセージIDに対応したイベント通知メッセージを送信する第2手段と、
を備えたことを特徴とするメッセージ代行通知装置。
（付記１２）
宛先を特定できない一意の符号又は記号を用いたメッセージIDの提供を受けたメッセージ受信装置より取得した該メッセージID及び該メッセージ受信装置の連絡先情報の組を保持する第1手段と、
人体又は物に貼付されている該メッセージIDを読み取った代行依頼装置から該メッセージIDを受信したとき、該メッセージIDと組になっている該連絡先情報のメッセージ受信装置に対して、該メッセージIDに対応したイベント通知メッセージを送信する第2手段と、
を備えたことを特徴とするメッセージ代行通知装置。
（付記１３）付記１０において、
該代行依頼装置に該メッセージIDを提供する手段をさらに含むことを特徴とするメッセージ代行通知装置。
（付記１４）付記１１又は１２において、
該メッセージ受信装置に該メッセージIDを提供する手段をさらに含むことを特徴とするメッセージ代行通知装置。
（付記１５）付記１０から１２のいずれか一つにおいて、
複数のメッセージIDと該メッセージIDの各々に対応した同一又は固有のイベント通知メッセージの組を予め記憶する手段をさらに含むことを特徴とするメッセージ代行通知装置。
（付記１６）付記１０から１２のいずれか一つにおいて、
該代行依頼装置が、複数のメッセージIDと該メッセージIDの各々に対応した同一又は固有のイベント通知メッセージの組を予め記憶する手段をさらに含み、該第2手段が該代行依頼装置から該メッセージIDと共に該メッセージも併せて受信する手段を含むことを特徴とするメッセージ代行通知装置。
（付記１７）付記１０から１２のいずれか一つにおいて、
該メッセージIDが、2次元バーコード又は無線タグであることを特徴とするメッセージ代行通知装置。
（付記１８）付記１０から１２のいずれか一つにおいて、
該連絡先情報が、該メッセージIDと組になった2次元バーコード、メールアドレス、又は電話番号であることを特徴とするメッセージ代行通知装置。
【図面の簡単な説明】
【００６６】
【図１】本発明[1]に係るメッセージ代行通知方法及び装置の概要を示したシーケンス図である。
【図２】本発明[2]に係るメッセージ代行通知方法及び装置の概要を示したシーケンス図である。
【図３】本発明[3]に係るメッセージ代行通知方法及び装置の概要を示したシーケンス図である。
【図４】本発明に係るメッセージ代行通知方法及び装置の全体的な動作実施例を示した図である。
【図５】本発明に係るメッセージ代行通知方法及び装置に用いる代行サーバの構成例を示したブロック図である。
【図６】本発明に係るメッセージ代行通知方法及び装置に用いる代行依頼装置の構成例を示したブロック図である。
【図７】本発明に係るメッセージ代行通知方法及び装置において、代行サーバ−代行依頼装置間の初期登録手順例を示したフローチャート図である。
【図８】本発明に係るメッセージ代行通知方法及び装置において、受信装置から代行サーバへのID情報登録手順例を示したフローチャート図である。
【図９】本発明に係るメッセージ代行通知方法及び装置において、代行依頼装置から代行サーバへのID送信手順例を示したフローチャート図である。
【図１０】本発明に係るメッセージ代行通知方法及び装置において、代行サーバから受信装置へのメッセージ送信手順例を示したフローチャート図である。
【符号の説明】
【００６７】
1  代行サーバ（サーバ運用者）
1_1  データベース
1_2  ID処理部
1_3  宛先登録部
1_4  宛先検索部
1_5  メッセージ作成部
1_6  送受信部
1_7  ネットワークインタフェース
2  代行依頼装置（イベント通知者）
2_1  メッセージデータベース
2_2  ID入力装置
2_3  ID＋メッセージ送信部
2_4  IDデータベース
2_5  ID出力装置
2_6  ネットワークインタフェース
3  メッセージ受信装置（サービス利用者）
図中、同一符号は同一又は相当部分を示す。
【図１】
0004822761.tif 000002
【図２】
0004822761.tif 000003
【図３】
0004822761.tif 000004
【図４】
0004822761.tif 000005
【図５】
0004822761.tif 000006
【図６】
0004822761.tif 000007
【図７】
0004822761.tif 000008
【図８】
0004822761.tif 000009
【図９】
0004822761.tif 000010
【図１０】
0004822761.tif 000011